【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
κ−ＰＶＩＩＡ−結合部位に結合する化合物の有効量を含むことを特徴とする対象の哺乳動物の器官の阻止、保護、および／または維持剤。
【請求項２】
該化合物がκ−ＰＶＩＩＡ−関連コノトキシンである請求項１記載の阻止、保護、および／または維持剤。
【請求項３】
該κ−ＰＶＩＩＡ−関連コノトキシンがκ−ＰＶＩＩＡ、Ｅ６．２，Ｐ６．１、Ｐ６．３、その同族体、そのアナログおよびその誘導体よりなる群から選択される請求項２記載の阻止、保護、および／または維持剤。
【請求項４】
該器官が対象の体内で無傷であるか、あるいは摘出されたものである請求項１、２または３記載の阻止、保護、および／または維持剤。
【請求項５】
該器官が循環器系器官、呼吸器系器官、泌尿器系器官、消化器系器官、生殖系器官、内分泌系器官、神経系器官、または体細胞よりなる群から選択される請求項１、２または３記載の阻止、保護、および／または維持剤。
【請求項６】
該循環器系器官が心臓である請求項５記載の阻止、保護、および／または維持剤。
【請求項７】
心臓切開手術、心停止法、血管形成術、弁手術、移植、狭心症または心血管病の間に、心血管介入の前、間または後に心臓損傷を低下させ、または正常な血流、栄養物および／または酸素が欠乏した心臓の部分を保護するように、心臓が阻止され、保護されまたは維持される請求項６記載の阻止、保護、および／または維持剤。
【請求項８】
該器官が、循環器系器官、呼吸器系器官、泌尿器系器官、消化器系器官、生殖系器官、内分泌系器官、神経系器官、または体細胞よりなる群から選択される請求項４記載の阻止、保護、および／または維持剤。
【請求項９】
該循環器系器官が心臓である請求項８記載の阻止、保護、および／または維持剤。
【請求項１０】
心臓切開手術、心停止法、血管形成術、弁手術、移植、狭心症または心血管病の間に、心血管介入の前、間または後に心臓損傷を低下させ、または正常な血流、栄養物および／または酸素が欠乏した心臓の部分を保護するように、心臓が阻止され、保護されまたは維持される請求項９記載の阻止、保護、および／または維持剤。
【請求項１１】
アデノシン受容体アゴニストが該対象に投与される請求項１ないし１０いずれか１記載の阻止、保護、および／または維持剤。
【請求項１２】
アデノシン受容体アゴニストがＣＰＡ、ＮＥＣＡ、ＣＧＣ−２１６８０、ＡＢ−ＭＥＣＡ、ＡＭＰ５７９、ｑＡＰＮＥＡ、ＣＨＡ、ＥＮＢＡ、Ｒ−ＰＩＡ、ＤＰＭＡ、ＣＧＳ−２１６８０、ＡＴＡ１４６ｅ、ＣＣＰＡ、ＣＩ−ＩＢ−ＭＥＣＡ、ＩＢ−ＭＥＣＡよりなる群から選択される請求項１１記載の阻止、保護、および／または維持剤。
【請求項１３】
局所麻酔剤が該対象に投与される請求項１ないし１２いずれか１記載の阻止、保護、および／または維持剤。
【請求項１４】
該局所麻酔剤がメキシリチン(mexilitine)、ジフェニルヒダントイン、プリロカイン、プロカイン、ミピビカイン(mipivicaine)、ブピビカイン(bupivicaine)、リドカイン、クラス１Ｂ抗−不整脈剤よりなる群から選択される請求項１３記載の阻止、保護、および／または維持剤。
【請求項１５】
該クラス１Ｂ抗−不整脈剤がリグノカインである請求項１４記載の阻止、保護、および／または維持剤。
【請求項１６】
カリウムチャネルオープナーまたはアゴニストが該対象に投与される請求項１ないし１５いずれか１記載の阻止、保護、および／または維持剤。
【請求項１７】
カリウムチャネルオープナーまたはアゴニストがクロマカイン(cromakalin)、ピナシジル(pinancidil)、ニコランジル(nicorandil)、ＭＳ−１６１９，ジアゾキシドおよびミノキシジルよりなる群から選択される請求項１６記載の阻止、保護、および／または維持剤。
【請求項１８】
止血剤も対象に投与される請求項１ないし１７いずれか１記載の阻止、保護、および／または維持剤。
【請求項１９】
該止血剤が血餅破壊剤、血栓溶解剤、抗凝固剤、抗血小板凝集剤およびその組合せよりなる群から選択される請求項１８記載の阻止、保護、および／または維持剤。
【請求項２０】
該血餅破壊剤がストレプトキナーゼ、ウロキナーゼおよびＡＣＴＩＶＡＳＥよりなる群から選択される請求項１９記載の阻止、保護、および／または維持剤。
【請求項２１】
該血栓溶解剤が、ストレプトキナーゼ、ウロキナーゼ、アルテプラーゼ(alteplase)、レテプラーゼ(reteplase)およびテネクテプラーゼ(tenecteplase)よりなる群から選択される請求項１９記載の阻止、保護、および／または維持剤。
【請求項２２】
該抗凝固剤がヘパリン、エノキサパリンおよびダルテパリンよりなる群から選択される請求項１９記載の阻止、保護、および／または維持剤。
【請求項２３】
該抗−血小板凝集剤がアスピリン、クロピドグレル(clopidogrel)、アビキシマブ(abciximab)、エピティフィバチド(eptifibatide)およびティロフィバン(tirofiban)よりなる群から選択される請求項１９記載の阻止、保護、および／または維持剤。
【請求項２４】
ＡＶブロッカーも対象に投与される請求項１ないし１２いずれか１記載の阻止、保護、および／または維持剤。
【請求項２５】
該ＡＶブロッカーがベラパミルである請求項２４記載の阻止、保護、および／または維持剤。
【請求項２６】
κ−ＰＶＩＩＡ−関連コノトキシンと同一の機能性部位における、または部分的に同一の機能性部位におけるその作用、および該コノトキシンとしての同様の機能的応答を誘導するその能力につき、薬物候補をスクリーニングすることを特徴とする、器官の阻止、保護または維持剤として用いる薬物候補を同定する方法。
【請求項２７】
候補薬物剤によるその受容体または他の複合体からの標識されたκ−ＰＶＩＩＡ−関連コノトキシンの置き換えを用いて、適当な候補薬物を同定する請求項２６記載の方法。
【請求項２８】
治療活性を特定するためのテスト化合物の生物学的アッセイを行い、κ−ＰＶＩＩＡ−関連コノトキシンの生物学的アッセイから得られた結果と比較する請求項２６記載の方法。
【請求項２９】
κ−ＰＶＩＩＡ−関連コノトキシンの受容体に対する小分子結合親和性を測定し、κ−ＰＶＩＩＡ−関連コノトキシンのその受容体への結合親和性と比較する請求項２６記載の方法。
【請求項３０】
κ−ＰＶＩＩＡ−結合部位に結合する化合物の有効量を哺乳動物の摘出された器官に投与することを特徴とする哺乳動物の該器官を阻止し、保護し、および／または維持する方法。
【請求項３１】
該化合物がκ−ＰＶＩＩＡ−関連コノトキシンである請求項３０記載の方法。
【請求項３２】
該κ−ＰＶＩＩＡ−関連コノトキシンがκ−ＰＶＩＩＡ、Ｅ６．２，Ｐ６．１、Ｐ６．３、その同族体、そのアナログおよびその誘導体よりなる群から選択される請求項３１記載の方法。
【請求項３３】
該器官が循環器系器官、呼吸器系器官、泌尿器系器官、消化器系器官、生殖系器官、内分泌系器官、神経系器官、または体細胞よりなる群から選択される請求項３０、３１または３２記載の方法。
【請求項３４】
該循環器系器官が心臓である請求項３３記載の方法。
【請求項３５】
心臓切開手術、心停止法、血管形成術、弁手術、移植、狭心症または心血管病の間に、心血管介入の前、間または後に心臓損傷を低下させ、または正常な血流、栄養物および／または酸素が欠乏した心臓の部分を保護するように、心臓が阻止され、保護されまたは維持される請求項３４記載の方法。